(57)【要約】【課題】  サッシの室内側に設置することによって防犯効果の高い室内側設置の防犯面格子を外観良く，安定且つスムーズに伸縮できるようにする。【解決手段】  多数の縦桟２１をリンク２５連結することによって面格子本体２を形成して，各縦桟２１の上下に設置したスライダーを上下のガイドレール１１にスライド自在に吊り支持することによって外枠１内で面格子本体２を横引き伸縮開閉自在に配置し縦枠１２との間に配置したロック２６の施錠によって室外側から開閉できないようにして，サッシ３の室内側に設置して侵入障害をなすようにする。リンク２５をプレート状のものとして各縦桟２１の室外側で結合することによって縦桟２１の室内側にリンク２５の結合部が露出して外観を損なうのを防止し，また各縦桟２１とのリンク２５結合部を上下一連に被覆する補助桟２４を縦桟２１の室外側に設置してリンク２５結合部が露出するのを防止して防犯効果を高める。【選択図】        図４
2006125074.tif 000002
【特許請求の範囲】
【請求項１】
上下のガイドレールと左右の縦枠とを枠組みした外枠と，多数の縦桟を上下複数の連結箇所でリンク連結して上記上下ガイドレールに吊り支持することによって上記外枠内に幅方向伸縮開閉自在に配置した面格子本体とを備え，上記縦桟を連結するリンクを，長手方向一方に軸支孔，他方にスライド孔を透設したリンクプレートによるものとし，上記縦桟の各連結箇所の室外面にそれぞれ上下位を一対とする連結軸を突設し，上記リンク長手方向一方の軸支孔に縦桟の連結箇所一対のうち上下位一方の連結軸を回転自在に軸支するとともにリンク長手方向他方のスライド孔に隣接する縦桟の連結箇所一対のうち上下位他方の連結軸をスライド自在に係合して該リンクを隣接縦桟間に傾斜配置することによって面格子本体を形成してなることを特徴とするサッシ室内側設置用防犯面格子。
【請求項２】
上記縦桟が，それぞれ室外側に上下複数の連結箇所を一連に被覆する補助桟を備え，該補助桟を各連結箇所上下の連結軸の先端に固定してなることを特徴とする請求項１に記載のサッシ室内側設置用防犯面格子。
【請求項３】
上記連結軸に対する補助桟の固定を，補助桟にかしめ，切り起し等のプレス加工を施して連結軸又はこれに設置した固定部材を支持することによって行ってなることを特徴とする請求項２に記載のサッシ室内側設置用防犯面格子。
【請求項４】
上記面格子本体における縦枠側の縦桟に該縦枠との間で施開錠自在のロックを設置してなることを特徴とする請求項１，２又は３に記載のサッシ室内側設置用防犯面格子。
【発明の詳細な説明】
【技術分野】
【０００１】
本発明は廊下に面するマンションの窓開口や戸建住宅の窓開口のサッシ室内側に設置することによって防犯効果を確保するようにしたサッシ室内側設置用防犯面格子に関する。
【背景技術】
【０００２】
この種防犯面格子として，上下のガイドレールと左右の縦枠とを枠組みした外枠と，多数の縦桟を上下複数の連結箇所でリンクで相互に連結して上記上下ガイドレールに吊り支持することによって上記外枠内に幅方向伸縮開閉自在に配置した面格子本体とを備えたものが提案されており，この場合面格子本体は，多数の縦桟の室内外双方に表裏のリンクを回転自在に軸支固定して構成したものとされている。
【０００３】
【特許文献１】特開２００４−１９１０９号公報
【発明の開示】
【発明が解決しようとする課題】
【０００４】
この場合，侵入犯がガラスを破損することによってクレセントを開錠しサッシ戸を開成しても，その室内側に存在する面格子を破損する等して更に面格子本体を開成しなければ室内に侵入することができず，仮に面格子を破損するとしてもその時間が掛り，サッシ戸の開成から数分間の時間を必要とすることによって一般に相当程度の防犯機能を発揮するものとなる。
【０００５】
しかし乍ら，該面格子はサッシの室内側に設置して室内に露出するから，例えばその室内側にカーテンを設置するとしても，採光のためにカーテンを開ければ面格子が露出することになるところ，上記面格子本体は縦桟の室内外双方に表裏のリンクが設置されており，室内側に該表面のリンクと各縦桟の軸支部分が露出することによって，メカニカルな印象を呈する結果，室内設置の面格子としてそぐわないものとなって外観が損なわれる可能性がある。
【０００６】
本発明はかかる事情に鑑みてなされたもので，その解決課題とするところは，防犯性に優れて，サッシの室内側に設置することによって外観を良好に維持し得るようにしたサッシ室内側設置用防犯面格子を提供するにある。
【課題を解決するための手段】
【０００７】
上記課題に添って本発明は，面格子本体のリンクを縦桟の背面側，即ち室外側に設置して縦桟の室内側の面にリンクや軸支部が露出するのを防止して外観を可及的良好に確保し，リンクによる連結を確実強固になし得るようにして防犯性を高度に確保するとともに面格子本体の伸縮開閉自在性を高度に確保して安定且つスムーズな開閉をなし得るようにしたものであって，即ち請求項１に記載の発明を，上下のガイドレールと左右の縦枠とを枠組みした外枠と，多数の縦桟を上下複数の連結箇所でリンク連結して上記上下ガイドレールに吊り支持することによって上記外枠内に幅方向伸縮開閉自在に配置した面格子本体とを備え，上記縦桟の各連結箇所の室外面にそれぞれ上下位を一対とする連結軸を突設し，上記リンク長手方向一方の軸支孔に縦桟の連結箇所一対のうち上下位一方の連結軸を回転自在に軸支するとともにリンク長手方向他方のスライド孔に隣接する縦桟の連結箇所一対のうち上下位他方の連結軸をスライド自在に係合して該リンクを隣接縦桟間に傾斜配置することによって面格子本体を形成してなることを特徴とするサッシ室内側設置用防犯面格子としたものである。
【０００８】
請求項２に記載の発明は，上記に加えて，各縦桟が室外側に連結軸を覆う上下方向に所定長さにして一連の補助桟を備えたものとすることによって，縦桟の室外側における連結軸，リンクとの連結部が露出するのを防止して，サッシ戸を開けるに至った侵入犯が該連結軸や連結部を破壊して面格子本体を破損開閉するのを可及的に防止して，侵入犯による侵入時間を可及的に延長し得るものとするように，これを，上記縦桟が，それぞれ室外側に上下複数の連結箇所を一連に被覆する補助桟を備え，該補助桟を各連結箇所上下の連結軸の先端に固定してなることを特徴とする請求項１に記載のサッシ室内側設置用防犯面格子としたものである。
【０００９】
請求項３に記載の発明は，同じく上記に加えて，室内側に露出することのない連結軸と補助桟の固定をプレス加工によって可及的簡易且つ確実になし得るものとするように，これを，上記連結軸に対する補助桟の固定を，補助桟にかしめ，切り起し等のプレス加工を施して連結軸又はこれに設置した固定部材を支持することによって行ってなることを特徴とする請求項２に記載のサッシ室内側設置用防犯面格子としたものである。
【００１０】
請求項４に記載の発明は，同じく上記に加えて，外枠の縦枠と面格子本体との間に施開錠自在のロックを設置することによって室内側から操作し易く，室外側からの侵入犯に対する面格子本体の開閉を阻害して侵入時間を可及的に延長し得るものとするように，これを，上記面格子本体における縦枠側の縦桟に該縦枠との間で施開錠自在のロックを設置してなることを特徴とする請求項１，２又は３に記載のサッシ室内側設置用防犯面格子としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，面格子本体のリンクを縦桟の室外側に設置して縦桟の室内側の面にリンクや軸支部が露出するのを防止して外観を可及的良好に確保し，リンクによる連結を確実強固になし得るようにして防犯性を高度に確保するとともに面格子本体の伸縮開閉自在性を高度に確保して安定且つスムーズな開閉をなし得るようにすることによって，防犯性に優れて，サッシの室内側に設置することによって外観を良好に維持し得るようにしたサッシ室内側設置用防犯面格子を提供することができる。
【００１３】
請求項２に記載の発明は，上記に加えて，各縦桟が室外側に連結軸を覆う上下方向に所定長さにして一連の補助桟を備えたものとすることによって，縦桟の室外側における連結軸，リンクとの連結部が露出するのを防止して，サッシ戸を開けるに至った侵入犯が該連結軸や連結部を破壊して面格子本体を破損開閉するのを可及的に防止して，侵入犯による侵入時間を可及的に延長し得るものとすることができる。
【００１４】
請求項３に記載の発明は，同じく上記に加えて，室内側に露出することのない連結軸と補助桟の固定をプレス加工によって可及的簡易且つ確実になし得るものとすることができる。
【００１５】
請求項４に記載の発明は，同じく上記に加えて，外枠の縦枠と面格子本体との間に施開錠自在のロックを設置することによって室内側から操作し易く，室外側からの侵入犯に対する面格子本体の開閉を阻害して侵入時間を可及的に延長し得るものとすることができる。
【発明を実施するための最良の形態】
【００１６】
以下図面の例に従って本発明を更に具体的に説明すれば，Ａは防犯面格子であり，該防犯面格子Ａは，上下のガイドレール１１と左右の縦枠１２とを枠組みした外枠１と，多数の縦桟２１を上下複数の連結箇所でリンク２５連結して上記上下ガイドレール１１に吊り支持することによって上記外枠１内に幅方向伸縮開閉自在に配置した面格子本体２とを備えたものとしてあり，本例にあって外枠１及び面格子本体２をそれぞれアルミ押出形材を用いて構成することによって防犯面格子Ａをアルミ製のものとしてあり，本例にあって該防犯面格子Ａは，その上記面格子本体２における縦枠１２側の縦桟２１に該縦枠１２との間で施開錠自在のロック２６を設置したものとしてあり，本例の該ロック２６は防犯面格子Ａの幅方向両端にこれを設置してある。
【００１７】
外枠１を構成する縦枠１２は断面略Ｉ字状にした共通断面のものを反転使用し，またガイドレール１１は対向方向にスリットを開口した断面略Ｃ字状にして室内端に額縁固定片１１１を一体に起立した同じく共通断面のものを反転使用して単一のガイドレール１１と縦枠１２の２種のアルミ押出形材によって構成してあり，このときガイドレール１１に形成したタッピングホールに縦枠１２からネジを螺入して，サッシ３設置の窓開口に合せた開口を有する室内視矩形の外枠１をなすものとしてある。
【００１８】
面格子本体２を構成する縦桟２１は，左右端部において上記ロック２６設置用の中空スぺースを確保するように室内側を開口した断面略Ｃ字状の桟本体２１１と室内側において開口を閉塞する閉塞プレート２１２とによって断面略矩形の中空のものとし，該左右端部を除く中間においてそれぞれ室内側を湾曲面として上記左右端部のものより細幅にして一体に形成した断面略矩形の中空のものとしてある。これら縦桟２１はそれぞれ中空部内にタッピングホールを備えてあり，該タッピングホールにネジを螺入することによって各縦桟２１がその上下端に断面略Ｔ字状のスライダー２２を固定し，その連結軸を上記スリットに挿通して該スライダー２２を上下のガイドレール１１にスライド自在に係合することによって面格子本体２の各縦桟２１を上下のガイドレール１１に対してスライド開閉自在に吊り支持したものとしてある。
【００１９】
縦桟２１は相互にリンク２５連結して幅方向伸縮開閉自在の面格子本体としてあり，該縦桟２１を連結するリンク２５は，これを，長手方向一方に軸支孔２５１，他方にスライド孔２５２を透設したリンクプレートによるものとし，上記縦桟２１の各連結箇所の室外面にそれぞれ上下位を一対とする連結軸２３を突設し，上記リンク２５長手方向一方の軸支孔２５１に縦桟２１の連結箇所一対のうち上下位一方の連結軸２３を回転自在に軸支するとともにリンク２５長手方向他方のスライド孔２５２に隣接する縦桟２１の連結箇所一対のうち上下位他方の連結軸２３をスライド自在に係合して該リンク２５を隣接縦桟２１間に傾斜配置することによって面格子本体を形成したしたものとしてある。
【００２０】
本例のリンク２５はステンレス，アルミ等の金属プレートを打抜き加工して，例えば径大の円弧をなすように幾分湾曲した形状として，室内に露出使用する防犯面格子Ａとしての外観を向上したものとし，その長手方向一方に軸支孔２５１を，他方にスライド孔２５２を同じく打抜き加工して透設してあり，このときスライド孔２５２は金属プレート内で直線をなすようにしてある。
【００２１】
各縦桟２１はその長手方向上下位置にそれぞれ金属製又は合成樹脂製の連結軸２３を，幅方向両端の縦桟２１にあっては上下位置で各合計２箇所に，その中間の縦桟２１にあっては上下位置で各上下位一対とするように各合計４箇所に突設してあり，このとき本例にあって中間の縦桟２１における上下位一対の連結軸２３の設置高さを，面格子本体２の幅方向一端の縦桟２１における一方が上位，他方が下位の連結軸２３の高さと同位置とすることによって，各縦桟２１において連結軸２３設置位置が幅方向に同一高さ位置に一致するように設置して上記リンク２５による結合とこれによる連結を行ってあり，このとき本例にあって室内視左側端部の縦桟２１の上方上位及び下方下位の連結軸２３をリンク２５の軸支孔２５１に軸支し，これに隣接する２本目の縦桟２１の上方下位及び下方上位の連結軸２３をリンク２５のスライド孔２５２に挿通して結合し，また該２本目の縦桟２１の上方上位及び下方下位の連結軸２３をリンク２５の軸支孔２５１に軸支し，更にこれに隣接する３本目の縦桟２１の上方下位及び下方上位の連結軸２３をリンク２５のスライド孔２５２に挿通係合して結合し，順次これを繰返すとともに幅方向他端においてリンク２５の向きを反転して同様に結合することによってリンク２５が上方及び下方でそれぞれ幅方向に同じ向きとなるように外観を考慮してリンク２５の配置とこれによる連結を行ってある。
【００２２】
このとき本例の上記縦桟２１は，これが，それぞれ室外側に上下複数の連結箇所を一連に被覆する補助桟２４を備え，該補助桟２４を各連結箇所上下の連結軸２３の先端に固定したものとしてあり，本例にあって該連結軸２３に対する補助桟２４の固定は，これを，補助桟２１にかしめ，切り起し等のプレス加工を施して連結軸２３又はこれに設置した固定部材２５３を支持することによって行ったものとしてある。
【００２３】
即ち本例にあって補助桟２４は，例えば各縦桟２１の全長に亘るように該縦桟２１と同長にして浅溝を形成するように断面略Ｃ字状のアルミ押出形材によって形成したものとしてあり，連結軸２３の先端側にプレート状の固定部材２５３を設置し，補助桟２４に該固定部材２５３を嵌合し，その上下移動を阻止するように上記かしめ，切り起し等のプレス加工を補助桟２４に対して施すことによって，その固定とこれによる支持を行なったものとしてある。
【００２４】
このように形成した防犯面格子Ａは，例えばガイドレール１１にスライダー２２をスライド自在に係合することによって現場又は工場で外枠１に面格子本体２を装着した完成品状態とし，サッシ３のサッシ枠３１室内側に設置した木製，アルミ製等の額縁３４の対向面に外枠１の縦枠１２における見込方向中間部を，また額縁３４の室内側の側面に上下のガイドレール１１における額縁固定片１１１をそれぞれ釘，ネジ等の固定金具によって固定することによって外枠１をサッシ３室内側，特にサッシ枠３１の室内側に固定してその設置を行えばよく，このとき既設サッシ及び新設サッシのいずれにも後付的にその設置を行なうことができる。
【００２５】
防犯面格子Ａは，在室時や緊急時に一方のロック２６を解除して面格子本体２を横方向に引けばスライダー２２がガイドレール１１をスライドすることによって面格子本体２を安定且つスムーズに開成でき，本例にあってロック２６は幅方向両端に設置したから任意の一方に向けてその開成を行なうことができる。また不在時にはロック２６を施錠することによって侵入犯がサッシ戸３２を開けたとしてもその侵入障害となって侵入を防止できる。サッシ戸３２には一般に透明ガラス，型板ガラス，曇りガラス等が設置されており，これらガラスを通して室外側から該面格子本体２の存在が看取できることが多く，この場合侵入犯にはサッシ戸３２を開けても侵入障害があることが分ることになり侵入断念による防犯効果を発揮することも期待し得る。
【００２６】
図中２５４はリンク２５の連結に際して該リンク２５の室内外の面と縦桟２１及び上記固定部材２５３間に介設したワッシャー，３３はサッシ３の戸当ブロックである。
【００２７】
図示した例は以上のとおりとしたが，テラス窓のように開口高さの大きなサッシの室内側に設置することによって面格子本体の重量が嵩むとき，縦桟の上下端，特に上端に設置した上記スライダーに代えて，その一部又は全部をローラーによるものとして重量による摩擦抵抗を減少してスムーズな開閉をなし得るようにすること，外枠に一対の面格子本体を装着して引分けの防犯面格子とすること等を含めて，本発明の実施に当って，外枠，そのガイドレール，縦枠，面格子本体，その縦桟，連結軸，リンク，必要に応じて用いる補助桟等の各具体的形状，構造，材質，これらの関係，これらに対する付加等は，上記発明の要旨に反しない限り様々な形態のものとすることができる。
【図面の簡単な説明】
【００２８】
【図１】防犯面格子の正面図である。
【図２】防犯面格子を片側に開成した状態を示す正面図である。
【図３】防犯面格子の設置状態を示す縦断面図である。
【図４】防犯面格子の設置状態を示す横断面図である。
【図５】リンクの正面図である。
【符号の説明】
【００２９】
Ａ  防犯面格子
１  外枠
１１  ガイドレール
１２  縦枠
２  面格子本体
２１  縦桟
２２  スライダー
２３  連結軸
２４  補助桟
２５  リンク
３  サッシ
【図１】
2006125074.tif 000003
【図２】
2006125074.tif 000004
【図３】
2006125074.tif 000005
【図４】
2006125074.tif 000006
【図５】
2006125074.tif 000007